(57)【要約】【課題】  ユーザの嗜好情報に関連づけた商品情報を表示することができる無線タグ読取装置、無線タグ読取システムおよび無線タグ読取方法を提供する。【解決手段】  ユーザ識別情報および前記ユーザの嗜好情報を格納するカードから情報を読み出すカード読取部１２と、無線タグＴから無線通信によりコード情報を読み出すタグ読取部２３と、カード読取部から読み出したユーザ識別情報および前記タグ読取部から読み出したコード情報に基づき、サーバ装置から商品情報を取得する通信部２１と、通信部から取得した商品情報を、カード読取部から読み出した嗜好情報に関連付けて表示する表示部２５を有する無線タグ読取装置。【選択図】図１
2011170631.tif 000002
【特許請求の範囲】
【請求項１】
ユーザ識別情報および前記ユーザの嗜好情報を格納するカードから情報を読み出すカード読取部と、
無線タグから無線通信によりコード情報を読み出すタグ読取部と、
前記カード読取部から読み出したユーザ識別情報および前記タグ読取部から読み出した前記コード情報に基づき、サーバ装置から商品情報を取得する通信部と、
前記通信部から取得した前記商品情報を、前記カード読取部から読み出した前記嗜好情報に関連付けて表示する表示部と、を具備することを特徴とする無線タグ読取装置。
【請求項２】
前記嗜好情報は、ユーザが希望する要素と回避したい要素を含むことを特徴とする請求項１記載の無線タグ読取装置。
【請求項３】
前記嗜好情報は、医療情報を含むことを特徴とする請求項１記載の無線タグ読取装置。
【請求項４】
前記嗜好情報は、ユーザの過去の購入履歴情報を含むことを特徴とする請求項１記載の無線タグ読取装置。
【請求項５】
前記嗜好情報は、前記カードを読み取ることができる端末装置から入力させることを特徴とする請求項１記載の無線タグ読取装置。
【請求項６】
前記表示部は、ユーザが購入しようとする商品について、前記嗜好情報に関連付けて忠告を行うことを特徴とする請求項１記載の無線タグ読取装置。
【請求項７】
前記表示部は、ユーザが購入しようとする商品について前記嗜好情報に関連付けて忠告を行うと同時に、代替品に関する情報を表示することを特徴とする請求項１記載の無線タグ読取装置。
【請求項８】
前記ユーザの嗜好情報は、ネットワークに接続できるパーソナルコンピュータまたは携帯電話から入力することができることを特徴とする請求項１記載の無線タグ読取装置。
【請求項９】
端末装置と無線タグ読取装置を含む無線タグ読取システムであって、
前記端末装置は、ユーザ識別情報および前記ユーザの嗜好情報を格納するカードに前記ユーザの前記嗜好情報を入力する入力手段を有しており、
前記無線タグ読取装置は、
前記カードから情報を読み出すカード読取部と、
無線タグから無線通信によりコード情報を読み出すタグ読取部と、
前記カード読取部から読み出したユーザ識別情報および前記タグ読取部から読み出した前記コード情報に基づき、サーバ装置から商品情報を取得する通信部と、
前記通信部から取得した前記商品情報を、前記カード読取部から読み出した前記嗜好情報に関連付けて表示する表示部を有することを特徴とする無線タグ読取システム。
【請求項１０】
端末装置と無線タグ読取装置により無線タグを読み取る無線タグ読取方法であって、
ユーザ識別情報および前記ユーザの嗜好情報を格納するカードへ、前記端末装置を介して前記ユーザの前記嗜好情報を入力し、
前記無線タグ読取装置のカード読取部を用いて、前記嗜好情報を読み出し、
前記無線タグ読取装置のタグ読取部を用いて、無線タグから無線通信を介してコード情報を読み出し、
前記カード読取部から読み出したユーザ識別情報および前記タグ読取部から読み出した前記コード情報に基づき、通信回線を介してサーバ装置から商品情報を取得し、
前記通信部から取得した前記商品情報を、前記カード読取部から読み出した前記嗜好情報に関連付けて、前記端末装置の表示部に表示することを特徴とする無線タグ読取方法。
【発明の詳細な説明】
【技術分野】
【０００１】
本発明は、ＲＦＩＤ（Radio Frequency Identification）タグ等の無線タグからＥＰＣ（Electronic Product Code）を読み取る無線タグ読取装置に関し、特に、ＩＣカード等の他の媒体から与えられる情報に基づいて読取結果を表示する無線タグ読取装置、無線タグ読取システムおよび無線タグ読取方法に関する。
【背景技術】
【０００２】
現在、物流分野におけるＲＦＩＤ（Radio Frequency Identification）システムの導入が進められている。このＲＦＩＤシステムにおいては、取り扱うデータ量が膨大となる上、無数の国をまたぐことがあるため、ＳＧＴＩＮ（Serialized Global Trade Item Number）やＳＳＣＣ（Serial Shipping Container Code）といったグローバルで完全にユニークな物品管理のコード、いわゆるＥＰＣコードが活用されている。
【０００３】
ちなみに、ＳＧＴＩＮコードは、国際標準の商品識別コードであるＧＴＩＮにシリアル番号を付すことで商品を個別管理するためのコード体系であり、現在、９６ビットを使用したＳＧＴＩＮ−９６と１９８ビットとのＳＧＴＩＮ−１９８とがＥＰＣグローバルで規定されている。ＳＳＣＣコードは、ケース、ダンボール、パレット等の輸送用の梱包対を個別管理するためのコード体系であり、現在、９６ビットを使用したＳＳＣＣ−９６がＥＰＣグローバルで規定されている。
【０００４】
特許文献１は、このようなＥＰＣコードを用いる無線タグを使用した無線タグ読取装置を開示している。
【発明の概要】
【発明が解決しようとする課題】
【０００５】
しかし、特許文献１が示す無線タグ読取装置においては、ＥＰＣコードを用いる無線タグを使用した読取処理を開示してはいるが、ユーザ一人一人の嗜好情報を活用した商品情報の表示についてはなんら記載されていない。
【０００６】
本発明は、ユーザの嗜好情報に関連づけた商品情報を表示することができる無線タグ読取装置、無線タグ読取システムおよび無線タグ読取方法を提供することを目的とする。
【課題を解決するための手段】
【０００７】
課題を解決する一実施形態は、
ユーザ識別情報および前記ユーザの嗜好情報を格納するカードから情報を読み出すカード読取部（１２）と、
無線タグ（Ｔ）から無線通信によりコード情報を読み出すタグ読取部（２３）と、
前記カード読取部から読み出したユーザ識別情報および前記タグ読取部から読み出した前記コード情報に基づき、サーバ装置から商品情報を取得する通信部（２１）と、
前記通信部から取得した前記商品情報を、前記カード読取部から読み出した前記嗜好情報に関連付けて表示する表示部（２５）と、
を具備することを特徴とする無線タグ読取装置である。
【０００８】
また、
端末装置（１）と無線タグ読取装置を含む無線タグ読取システムであって、
前記端末装置は、ユーザ識別情報および前記ユーザの嗜好情報を格納するカード（Ｃ）に前記ユーザの前記嗜好情報を入力する入力手段を有しており、
前記無線タグ読取装置は、
前記カードから情報を読み出すカード読取部（１２）と、
無線タグ（Ｔ）から無線通信によりコード情報を読み出すタグ読取部（２３）と、
前記カード読取部から読み出したユーザ識別情報および前記タグ読取部から読み出した前記コード情報に基づき、サーバ装置から商品情報を取得する通信部（２１）と、
前記通信部から取得した前記商品情報を、前記カード読取部から読み出した前記嗜好情報に関連付けて表示する表示部（２５）を有することを特徴とする無線タグ読取システムである。
【０００９】
また、
端末装置（１）と無線タグ読取装置（２）により無線タグを読み取る無線タグ読取方法であって、
ユーザ識別情報および前記ユーザの嗜好情報を格納するカード（Ｃ）へ、前記端末装置を介して前記ユーザの前記嗜好情報を入力し、
前記無線タグ読取装置のカード読取部（１２）を用いて、前記嗜好情報を読み出し、
前記無線タグ読取装置のタグ読取部（２３）を用いて、無線タグ（Ｔ）から無線通信を介してコード情報を読み出し、
前記カード読取部から読み出したユーザ識別情報および前記タグ読取部から読み出した前記コード情報に基づき、通信回線を介してサーバ装置から商品情報を取得し、
前記通信部から取得した前記商品情報を、前記カード読取部から読み出した前記嗜好情報に関連付けて、前記端末装置の表示部（２５）に表示することを特徴とする無線タグ読取方法である。
【発明の効果】
【００１０】
あらかじめＩＣカード等で消費者の嗜好を入力しておき、商品の無線タグから商品情報を収集すると、その商品が消費者の嗜好に合っているかを知らせる。たとえば、魚アレルギーをもつ消費者に対して魚肉ソーセージであれば、カート装置の表示部に忠告メッセージを表示することで、買い物の際の便宜を図ることができる。
【図面の簡単な説明】
【００１１】
【図１】本発明の一実施形態に係る店舗端末装置の一例を示す外観図。
【図２】同じくカート装置の一例を示す外観図。
【図３】同じく無線タグ読取システムの構成の一例を示すブロック図。
【図４】同じく無線タグ読取システムの読取処理の一例を示すフローチャート。
【図５】同じく無線タグ読取システムの読取処理の他の例を示すフローチャート。
【図６】同じく無線タグ読取システムの読取処理の他の例を示すフローチャート。
【図７】同じく無線タグ読取システムの読取処理の他の例を示すフローチャート。
【図８】同じく無線タグ読取装置の忠告メッセージの一例を示す説明図。
【発明を実施するための形態】
【００１２】
以下、この発明の実施の形態について図面を参照して詳細に説明する。  
通常のＲＦＩＤタグはバーコードと違い多くの情報を格納できるため、ＥＰＣコードという世界共通の９６ビットからなる商品識別コードを有している。このＥＰＣコードには、メーカ番号、商品番号、製造番号が含まれており、どこで誰が、何を、いつ製造したかが詳らかにわかる仕組みになっている。
【００１３】
一般に製品を購入する際、製造メーカ、原産国、原料等をチェックしてその製品を購入するかを判断することが多い。しかし製品ラベルを商品ごとにチェックするのは時間がかかる上に細かな情報は記載されていない場合もある。そこで本発明では、あらかじめ自分にとって好ましいものと好ましくないものの嗜好情報をＩＣカード等の記憶媒体に記録しておく。そして商品購入の際、商品に貼り付けられたＲＦＩＤタグをＲＦＩＤリーダを用いて読み取りそのＥＰＣコードを取得する。そしてＥＰＣコードからその商品の商品情報を入手し、あらかじめ自身にとっての好みを記録しておいた媒体内の情報と比較し、その商品が自身にとって買って良い物であるか等を判定する。これにより、アレルギーにより受け付けないものが含まれていないか、または、購入したくないメーカの物ではないかなどの情報が瞬時に消費者に伝達することができる。
【００１４】
以下、具体的な実施形態である無線タグ読取装置、無線タグ読取システムおよび無線タグ読取方法を図１乃至図３を用いて、詳細に説明する。本発明の一実施形態に係る無線タグ読取システムは、一例として、店舗端末装置１とカート装置２からなり、例えば、ユーザ認証が可能なＩＣカードＣにより、趣味・嗜好情報を入力し、商品Ｓに添付された無線タグＴから商品情報を読み取って、カート装置２の表示部２５等に趣味・嗜好情報に関連づけた商品情報を表示する。なお、ＩＣカードＣは、必ずしも上述した嗜好情報をＩＣカードＣの記憶領域に格納しておく必要は無く、代わりにユーザの識別情報や何らかの代理情報を格納しておき、パーソナルコンピュータＰやホストコンピュータＨ等の記憶領域にユーザの識別情報や上述した代理情報に対応させて、肝心の識別情報を管理しておくものでもよい。
【００１５】
店舗端末装置１は、全体の動作を制御する制御部１０と、ネットワークＮを介してホストコンピュータＨ、パーソナルコンピュータＰ、携帯電話Ｋ等と通信を行なう通信部１１と、ＩＣカードＣを読み取るＩＣカードリーダ１２と、ユーザが操作を行うための操作部１３と、商品情報等を表示する表示部１４と、各種制御情報等を記憶する記憶部１５を有している。
【００１６】
また、カート装置２は、全体の動作を制御する制御部２０と、ネットワークＮを介してホストコンピュータＨ、パーソナルコンピュータＰ、携帯電話Ｋ等と通信を行なう通信部
２１と、ＩＣカードＣを読み取るＩＣカードリーダ２２と、無線タグＴを読み取るＲＦＩＤリーダ２３と、ユーザが操作を行うための操作部２４と、商品情報等を表示する表示部２５と、各種制御情報等を記憶する記憶部２６を有している。
【００１７】
このような構成をもつ店舗端末装置１およびカート装置２において、以下のように、ユーザ（消費者）の趣味・嗜好情報に関連づけた表示処理を行うことができる。すなわち、図４のフローチャートに示すように、ユーザは、店舗端末装置１に対して、ＩＣカードＣをＩＣカードリーダ１２で読み取らせ、操作部１３によりパスワード等で認証処理をした後に、表示部１４による対話形式において自己の趣味・嗜好情報を入力することでＩＣカードＣの記憶領域に自己の趣味・嗜好情報を記憶させることができる（ステップＳ１）。なお、この趣味・嗜好情報は、通信部１１およびネットワークＮを介して、ホストコンピュータＨの記憶領域に記憶してもよい。この際、ＩＣカードＣにはこの趣味・嗜好情報を引き出すための関連情報を記憶させておくものでも可能である。
【００１８】
また、外部のパーソナルコンピュータＰや携帯電話Ｋから、趣味・嗜好情報をホストコンピュータＨの記憶領域に入力することもできる。
【００１９】
その後、ユーザは、カート装置２に対しても、ＩＣカードＣをＩＣカードリーダ２２に挿入して読み取らせる（ステップＳ２）。次に、ユーザは、気に入った商品Ｓを手に取って、カート装置２のＲＦＩＤリーダ２３にかざすことで、無線タグＴからＥＰＣコードを読み取る（ステップＳ３）。制御部２０は、読み取ったＥＰＣコードを通信部２１およびネットワークＮを介してホストコンピュータＨに供給し、ホストコンピュータＨは、ＥＰＣコードに基づきウェブ上の他のサーバ等から商品情報を取得して、カート装置２に供給する（ステップＳ４）。
【００２０】
カート装置２の制御部２０は、ホストコンピュータＨから与えられた商品情報（この商品情報は記憶部２６に順次蓄積されることで再利用が可能である）に基づいて、ＩＣカードＣより取得した趣味・嗜好情報に対応しているかどうかを判断する（ステップＳ５）。制御部２０が商品情報が趣味・嗜好情報に対応していると判断すれば、対応関係に基づいて忠告等すべく表示部２５に表示することで、ユーザの買い物の便宜を図ることが可能となる（ステップＳ６）。商品情報は趣味・嗜好情報に対応していないと、制御部２０が判断すれば、対応関係がないことに基づく忠告等を行い、または、何も忠告せずに、単に商品情報を表示部２５に表示することで、ユーザの買い物の便宜を図る（ステップＳ７）。
【００２１】
また、制御部２０は、図示しない店舗のサーバのデータベース（または店舗端末装置１）から扱っている商品情報を取得し、この商品情報の中からＩＣカードＣより取得した趣味・嗜好情報に対応している商品を選択検出して、この商品情報を表示部２５に表示することで、ユーザ（顧客）に当該商品の購入を促すことができる。
【００２２】
次に、図５のフローチャートにおいて具体的な趣味・嗜好情報の例を用いて、本発明の一実施形態に係る無線タグ読取装置によるユーザ（消費者）の趣味・嗜好情報に関連づけた表示処理を説明する。ユーザは、店舗端末装置１に対して、ＩＣカードＣをＩＣカードリーダ１２で読み取らせ、操作部１３によりパスワード等で認証処理をした後に、表示部１４による対話形式において自己の趣味・嗜好情報として例えば『魚アレルギー』を入力することでＩＣカードＣの記憶領域に自己の趣味・嗜好情報を記憶させることができる（ステップＳ１１）。なお、この趣味・嗜好情報は、通信部１１およびネットワークＮを介して、ホストコンピュータＨの記憶領域に記憶してもよい。また、外部のパーソナルコンピュータＰや携帯電話Ｋから、趣味・嗜好情報をホストコンピュータＨの記憶領域に入力することもできる。
【００２３】
その後、ユーザは、カート装置２に対しても、ＩＣカードＣをＩＣカードリーダ２２に挿入して読み取らせる（ステップＳ１２）。次に、ユーザは、気に入った商品Ｓ、例えばソーセージを手に取ってカート装置２のＲＦＩＤリーダ２３にかざすことで、無線タグＴからＥＰＣコードを読み取る（ステップＳ１３）。制御部２０は、読み取ったＥＰＣコードを通信部２１およびネットワークＮを介してホストコンピュータＨに供給し、ホストコンピュータＨは、ＥＰＣコードに基づきウェブ上の他のサーバ等から商品情報を取得して、カート装置２に供給する（ステップＳ１４）。
【００２４】
カート装置２の制御部２０は、ホストコンピュータＨから与えられた商品情報（この商品情報は記憶部２６に順次蓄積されることで再利用が可能である）に基づいて、ＩＣカードＣより取得した趣味・嗜好情報である『魚アレルギー』に対応しているかどうかを判断する（ステップＳ１５）。制御部２０が、ソーセージの商品情報が趣味・嗜好情報である『魚アレルギー』に対応しており、原材料に魚肉が含まれていれば、図８に示すような忠告画面において対応関係に基づいて『この商品には、原材料に魚肉が含まれています』等の忠告等を行うべく表示部２５に表示することで、ユーザの買い物の便宜を図ることが可能となる（ステップＳ１６）。この際に、他の商品情報である『商品名』、『価格』、『メーカ名』、『工場名』等を表示することができる。また、制御部２０は、データベースに問い合わせて、現在、紹介できる代替品を同時に表示することができる。
【００２５】
また、商品情報は趣味・嗜好情報に対応していないと、制御部２０が判断すれば、対応関係がないことに基づく忠告等を行い、または、何も忠告せずに、単に商品情報を表示部２５に表示することで、ユーザの買い物の便宜を図る（ステップＳ１７）。
【００２６】
次に、図６のフローチャートにおいて趣味・嗜好情報の具体例を医療情報（お薬手帳情報等）を用いて、本発明の一実施形態に係る無線タグ読取装置によるユーザ（消費者）の医療情報（お薬手帳情報等）に関連づけた表示処理を説明する。ここで、医療情報（お薬手帳情報等）とは、医師が処方箋を作成して患者に渡し、薬剤師から製薬を購入する際に、どのような薬を処方しているかを示している『お薬手帳』や、この『お薬手帳』に付記される薬以外の医療情報および『お薬手帳』以外の医療情報を意味しており、処方している薬名以外にも、アレルギー物質や、回避したい食品情報、積極的に取り入れたい食品情報・健康食品等を含んでいる。
【００２７】
ユーザは、店舗端末装置１に対して、ＩＣカードＣをＩＣカードリーダ１２で読み取らせ、操作部１３によりパスワード等で認証処理をした後に、表示部１４による対話形式において自己の趣味・嗜好情報として医療情報（お薬手帳情報等）を入力することでＩＣカードＣの記憶領域に自己の医療情報（お薬手帳情報等）を記憶させることができる（ステップＳ２１）。なお、この医療情報（お薬手帳情報等）は、通信部１１およびネットワークＮを介して、ホストコンピュータＨの記憶領域に記憶してもよい。また、外部のパーソナルコンピュータＰや携帯電話Ｋから、医療情報（お薬手帳情報等）をホストコンピュータＨの記憶領域に入力することもできる。
【００２８】
その後、ユーザは、カート装置２に対しても、ＩＣカードＣをＩＣカードリーダ２２に挿入して読み取らせる（ステップＳ２２）。次に、ユーザは、気に入った商品Ｓを手に取ってカート装置２のＲＦＩＤリーダ２３にかざすことで、無線タグＴからＥＰＣコードを読み取る（ステップＳ２３）。制御部２０は、読み取ったＥＰＣコードを通信部２１およびネットワークＮを介してホストコンピュータＨに供給し、ホストコンピュータＨは、ＥＰＣコードに基づきウェブ上の他のサーバ等から商品情報を取得して、カート装置２に供給する（ステップＳ２４）。
【００２９】
カート装置２の制御部２０は、ホストコンピュータＨから与えられた商品情報（この商品情報は記憶部２６に順次蓄積されることで再利用が可能である）に基づいて、ＩＣカードＣより取得した医療情報（お薬手帳情報等）に対応しているかどうかを判断する（ステップＳ２５）。制御部２０が、商品Ｓの商品情報が医療情報（お薬手帳情報等）に対応しており、原材料にアレルギー物質を含んでいたり、回避すべき原材料を含んでいる等すれば、図８に示すような忠告画面において対応関係に基づいて『この商品には、原材料に回避すべき物質が含まれています』や、『この商品は、お客様にとって望ましい原材料が含まれています』等の忠告等を行うべく表示部２５に表示することで、ユーザの買い物の便宜を図ることが可能となる（ステップＳ２６）。この際に、他の商品情報である『商品名』、『価格』、『メーカ名』、『工場名』等を表示することができる。また、制御部２０は、データベースに問い合わせて、現在、紹介できる代替品を同時に表示することができる。
【００３０】
また、商品情報は医療情報（お薬手帳情報等）に対応していないと制御部２０が判断すれば、対応関係がないことに基づく忠告等を行い、または、何も忠告せずに、単に商品情報を表示部２５に表示することで、ユーザの買い物の便宜を図る（ステップＳ２７）。
【００３１】
次に、図７のフローチャートにおいて、ユーザの過去の購入履歴情報を用いて、本発明の一実施形態に係る無線タグ読取装置によるユーザ（消費者）の購入履歴情報に関連づけた表示処理を説明する。ここで、購入履歴情報とは、そのユーザが過去に購入した日時・場所・購入品・価格・購入品の商品情報等を意味する。
【００３２】
ユーザは、店舗端末装置１に対して、ＩＣカードＣをＩＣカードリーダ１２で読み取らせ、操作部１３によりパスワード等で認証処理をした後に、表示部１４による対話形式において、通信部１１を介してホストコンピュータＨから自己の購入情報を収集してＩＣカードＣの記憶領域に記憶するべく操作する。または、ユーザがＩＣカードＣをＩＣカードリーダ１２で読み取らせ、操作部１３によりパスワード等で認証処理をするだけで、制御部１０は自動的に通信部１１を介してホストコンピュータＨからユーザの購入情報を収集してＩＣカードＣの記憶領域に記憶することもできる（ステップＳ３１）。また、ホストコンピュータＨは、ユーザがＩＣカードＣ等で自分のＩＤを用いて購入を行う度に、店舗のレジスタと通信を行ない、購入履歴情報を自動的にホストコンピュータＨの記憶領域に蓄積させるものでもよい。
【００３３】
その後、ユーザは、カート装置２に対しても、ＩＣカードＣをＩＣカードリーダ２２に挿入して読み取らせる（ステップＳ３２）。次に、ユーザは、気に入った商品Ｓを手に取ってカート装置２のＲＦＩＤリーダ２３にかざすことで、無線タグＴからＥＰＣコードを読み取る（ステップＳ３３）。
【００３４】
制御部２０は、読み取ったＥＰＣコードを通信部２１およびネットワークＮを介してホストコンピュータＨに供給し、ホストコンピュータＨは、ＥＰＣコードに基づきウェブ上の他のサーバ等から商品情報を取得して、カート装置２に供給する（ステップＳ３４）。
【００３５】
カート装置２の制御部２０は、ホストコンピュータＨから与えられた商品情報（この商品情報は記憶部２６に順次蓄積されることで再利用が可能である）と、ＩＣカードＣより取得した購入履歴情報との対応関係を判断する（ステップＳ３５）。制御部２０が商品Ｓの商品情報がユーザの過去の購入履歴情報と対応していると判断すれば、その対応関係を表示部２５に表示することで、ユーザの買い物の便宜を図ることが可能となる（ステップＳ３６）。商品が書籍やＣＤ、ＤＶＤ等であれば、『本商品は３ヶ月前に購入済です』等の忠告を行い、代替品として、まだ未購入の関連商品、例えば、書籍がシリーズものであれば未購入の巻の書籍を紹介する画面を表示することができる。この際に、他の商品情報である『商品名』、『価格』、『メーカ名（出版名）』、『工場名（印刷所名）』等を表示することができる。
【００３６】
また、商品情報は過去の購入履歴情報と対応していないと制御部２０が判断すれば、対応関係がないことに基づく忠告等を行い、または、何も忠告せずに、単に商品情報を表示部２５に表示することで、ユーザの買い物の便宜を図る（ステップＳ３７）。
【００３７】
また、ユーザ（顧客）の過去の購入履歴情報において、周期的に購入されている商品があり、当該店舗でその商品を扱っていれば、制御部２１は、図示しない店舗のサーバのデータベースから扱っている商品情報を取得し、購入履歴情報に基づいて、当該商品の購入を促すべく表示部２５に表示を行うことができる。
【００３８】
その後、ＲＦＩＤリーダ２３が商品Ｓを読み取る等の処理とは無関係に、カート装置２の操作部２４の操作等のユーザからの指示を受けると（ステップＳ３８）、カート装置２の制御部２１は表示部２５に、ユーザ（顧客）の過去の購入履歴情報を表示することができる（ステップＳ３９）。これにより、ユーザ（顧客）は、より効率的で無駄のない買い物を行うことができる。
【００３９】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００４０】
１…店舗端末装置、２…カート装置、Ｈ…ホストコンピュータ、Ｃ…ＩＣカード、Ｓ…商品、Ｔ…ＲＦＩＤタグ、１０…制御部、１１…通信部、１２…ＩＣカードリーダ、１３…操作部、１４…表示部、１５…記憶部、２０…制御部、２１…通信部、２２…ＩＣカードリーダ、２３…ＲＦＩＤリーダ、２４…操作部、２５…表示部、２６…記憶部。
【先行技術文献】
【特許文献】
【００４１】
【特許文献１】特開２００８−１７６６３３号公報
【図１】
2011170631.tif 000003
【図２】
2011170631.tif 000004
【図３】
2011170631.tif 000005
【図４】
2011170631.tif 000006
【図５】
2011170631.tif 000007
【図６】
2011170631.tif 000008
【図７】
2011170631.tif 000009
【図８】
2011170631.tif 000010